(57)【要約】      （修正有）【課題】内視鏡の挿入部をシース挿入部内へ装着した状態において、内視鏡の湾曲部が湾曲操作されたとき、湾曲部の湾曲動作に伴って、付着物を除去するために配置されているブレードが移動して、内視鏡観察を妨げることを防止する内視鏡洗浄用シースを提供すること。【解決手段】内視鏡洗浄用シース３は内視鏡２の挿入部２１に装着される。内視鏡洗浄用シース３にはブレード４１、一対の牽引操作ワイヤ４３、及び回動操作によって牽引操作ワイヤ４３を牽引してブレード４１を移動させるシース操作部３２を具備している。シース操作部３２には、ブレード４１と挿入部先端面２４ａとの間に発生するブレード側静止摩擦力と、牽引操作ワイヤ４３を牽引aする際にシース操作部３２の駆動部に発生する操作部側静止摩擦力との間に、ブレード側静止摩擦力が操作部側静止摩擦力より大きくなるように設定するボール軸受部が設けられている。【選択図】図１
2008167773.tif 000002
【特許請求の範囲】
【請求項１】
内視鏡の挿入部に装着して該挿入部の先端面上に配置されるブレードと、前記ブレードに固定された一対の駆動ワイヤのそれぞれの端部に一端部が連結された一対の牽引操作ワイヤと、前記牽引操作ワイヤの他端部が連結され、回動操作によって該牽引操作ワイヤを牽引して前記ブレードを移動させて前記先端面に付着した付着物を除去するための操作を行う洗浄用シース側操作部と、を具備する内視鏡洗浄用シースにおいて、
前記洗浄用シース側操作部に、前記ブレードと前記内視鏡の挿入部の先端面との間に発生するブレード側静止摩擦力と、前記牽引操作ワイヤを牽引する際に前記洗浄用シース側操作部の駆動部に発生する操作部側静止摩擦力との間に、前記ブレード側静止摩擦力が前記操作部側静止摩擦力より大きくなるように設定する摩擦力調整機構部を設けたことを特徴とする内視鏡洗浄用シース。
【請求項２】
前記摩擦力調整機構部は、予め設定されたブレード側静止摩擦力より操作部側静止摩擦力を低減するボールベアリングを備えた軸受部であることを特徴とする請求項１に記載の内視鏡洗浄用シース。
【請求項３】
前記摩擦力調整機構部は、前記牽引操作ワイヤの張力を変化させて、ブレード側静止摩擦力を操作部側静止摩擦力より増大させるワイヤ引き込み機構部であることを特徴とする請求項１に記載の内視鏡洗浄用シース。 
【発明の詳細な説明】
【技術分野】
【０００１】
本発明は、内視鏡観察の妨げになる体腔内の粘液等の付着物を除去するワイパーユニットを備えた内視鏡洗浄用シースに関する。
【背景技術】
【０００２】
内視鏡を用いた観察中に、該内視鏡の備える観察窓、或いは照明窓に生体内の粘液、血液、脂肪、汚物等が付着すると、良好な観察を妨げられるという不具合が生じる。
【０００３】
この不具合を解消するため、例えば特許文献１には、内視鏡の観察窓等に付着した付着物を拭き取るためのワイパーを設けた内視鏡用シースが提案されている。内視鏡用シースは、該内視鏡用シースに内視鏡を挿入した状態で、該内視鏡と一体で体腔内に挿入される。そして、硬性鏡の対物レンズ面に血液、粘膜等の付着物が付着し、硬性鏡による視野が妨げられた場合、術者は、操作部カバーを把持したまま、手指によってワイパー操作部をトーションコイルばねの付勢力に抗して回動させる。すると、ワイパーロッドを介してワイパーが回動し、ワイパーゴムの掻き取り部によって対物レンズ面に付着している付着物が掻き取られる。
【０００４】
また、付着物を除去する方法として、ワイパーロッドを介してワイパーを回動させて、ワイパーゴムの掻き取り部によって付着物を掻き取る他に、図１３に示すように内視鏡の挿入部先端面１０１の付着物を除去する内視鏡用シース１１０が考えられる。この内視鏡用シース１１０では、一対の駆動ワイヤ１１１を移動させることによって、ブレード１１２を図中の実線に示す一端側から破線に示す他端側まで移動させて、挿入部先端面１０１に付着した付着物の除去を行える。この内視鏡用シース１１０に備えられている汚物除去機構は、ブレード１１２と、複数種類のワイヤ等とを備えて構成される。ブレード１１２は、弾性部材で形成され、挿入部先端面１０１上に所定の接触圧で密着配置される。図に示すようにブレード１１２は、一対の駆動ワイヤ１１１の所定位置に固定されている。これら駆動ワイヤ１１１のそれぞれの端部には牽引操作ワイヤ（不図示）の一端部が連結されている。牽引操作ワイヤはシース（不図示）の両側部を挿通して操作部（不図示）側まで延出され、該牽引操作ワイヤの他端部は操作部に連結される。したがって、付着物の除去を行うために術者が操作部を操作することによって、牽引操作ワイヤ及び駆動ワイヤ１１１が移動されて、ブレード１１２が前記図１３の実線に示す位置から破線に示す位置、或いは破線に示す位置から実線に示す位置まで移動して汚物を除去する。
【特許文献１】特開２００３−１９９７０３号公報
【発明の開示】
【発明が解決しようとする課題】
【０００５】
しかしながら、図１３に示した内視鏡用シース１１０の汚物除去機構では、牽引操作ワイヤがシース（不図示）の両側部に配置された構成である。そのため、内視鏡用シース１１０を、湾曲部を備える内視鏡に装着した場合、術者が湾曲部を湾曲させる操作を行ったときに、ブレード１１２が移動されて、挿入部先端面１０１に設けられた観察窓１０２上、或いは照明窓１０３上に配置されて内視鏡観察を妨げるおそれがある。具体的に、ブレード１１２が図１３の実線に示す一端側に配置されている状態で、術者が湾曲操作を行って挿入部先端面１０１を術者から見て右方向である図１４のＲ方向に湾曲させたとき、実線の位置に配置されていたブレード１１２が、破線に示す位置まで移動して、内視鏡の観察窓１０２上、或いは、照明窓１０３上に配置されるおそれがある。
【０００６】
これは、術者が湾曲部を右方向に湾曲させる操作を行ったことによって、シースの右側に配置されていた牽引操作ワイヤが弛緩状態に変化する一方、シースの左側に配置されていた牽引操作ワイヤが牽引状態になるためである。言い換えれば、ブレードの挿入部先端面に対する静止摩擦力が操作部の駆動部における静止摩擦力による力量に比べて小さいためである。
【０００７】
なお、図１３に示すようにブレード１１２が実線、或いは破線の位置に配置されている状態で、術者が湾曲部を術者から見て上方向（図中のＵ方向）或いは下方向（図中のＤ方向）に湾曲させたとき、シースの右側に配置されている牽引操作ワイヤの牽引弛緩状態とシースの左側に配置されている牽引操作ワイヤの牽引弛緩状態とが略同等に変化するため、該ブレード１１２が移動されることなく、その位置に保持される。
【０００８】
本発明は上記事情に鑑みてなされたものであり、内視鏡の挿入部をシース挿入部内へ装着した状態において、内視鏡の湾曲部が湾曲操作されたとき、該湾曲部の湾曲動作に伴って、付着物を除去するために配置されているブレードが移動して、内視鏡観察を妨げることを防止する内視鏡洗浄用シースを提供することを目的としている。
【課題を解決するための手段】
【０００９】
本発明の内視鏡洗浄用シースは、内視鏡の挿入部に装着して該挿入部の先端面上に配置されるブレードと、前記ブレードに固定された一対の駆動ワイヤのそれぞれの端部に一端部が連結された一対の牽引操作ワイヤと、前記牽引操作ワイヤの他端部が連結され、回動操作によって該牽引操作ワイヤを牽引して前記ブレードを移動させて前記先端面に付着した付着物を除去するための操作を行う洗浄用シース側操作部と、を具備する内視鏡洗浄用シースであって、
前記洗浄用シース側操作部に、前記ブレードと前記内視鏡の挿入部の先端面との間に発生するブレード側静止摩擦力と、前記牽引操作ワイヤを牽引する際に前記洗浄用シース側操作部の駆動部に発生する操作部側静止摩擦力との間に、前記ブレード側静止摩擦力が前記操作部側静止摩擦力より大きくなるように設定する摩擦力調整機構部を設けている。
【００１０】
この構成によれば、摩擦力調整機構部によって、ブレード側静止摩擦力が操作部側静止摩擦力より大きくなるように調整することにより、内視鏡の挿入部先端面の所定位置に密着して配置されているブレードが、内視鏡の湾曲部を湾曲させる動作に伴って移動することが防止される。
【発明の効果】
【００１１】
本発明によれば、内視鏡の挿入部をシース挿入部内へ装着した状態において、内視鏡の湾曲部が湾曲操作されたとき、該湾曲部の湾曲動作に伴って、付着物を除去するために配置されているブレードが移動して、内視鏡観察を妨げることを防止する内視鏡洗浄用シースを実現できる。
【発明を実施するための最良の形態】
【００１２】
以下、図面を参照して本発明の実施例を説明する。
【００１３】
図１乃至図１２は本発明の第１実施形態に係り、図１は内視鏡と内視鏡洗浄用シースとを備える内視鏡装置を説明する図、図２は内視鏡洗浄用シースの洗浄用シース側操作部の構成を説明する断面図、図３はガイド部を構成する本体部を説明する平面図、正面図、背面図及び右側面図を備える四面図、図４は図３のＩＶ−ＩＶ線断面図、図５は摺動操作部を操作部本体に対して後方側に移動させた状態を説明する図、図６は治具を用いて内視鏡洗浄用シースを組み立てている状態を説明する図、図７は内視鏡洗浄用シースを内視鏡に装着した状態におけるブレード側静止摩擦力を説明する模式図、図８は摺動操作部を操作部本体に対して後方側に移動させてブレード側静止摩擦力を所定の摩擦力に設定した状態を説明する図、図９は内視鏡洗浄用シースを内視鏡に装着した状態を説明する図、図１０は内視鏡洗浄用シースに備えられている洗浄用シース側操作部にコイルバネを設けた構成を説明する図、図１１は内視鏡洗浄用シースの洗浄用シース側操作部の他の構成を説明する図、図１２は摺動操作部が操作部本体に対して一体な状態と、摺動操作部と操作部本体とが摺動自在な状態とを説明する図である。
【００１４】
図１に示すように内視鏡装置１は、例えば挿入部２１が可撓性を有する内視鏡２と、該挿入部２１と一体で体腔内に挿入されるシース挿入部３１を備える内視鏡洗浄用シース３とを有して構成されている。内視鏡２の挿入部２１には湾曲部２５が設けられている。
【００１５】
内視鏡２は、挿入部２１と、この挿入部２１の後端に設けられた操作部２２と、この操作部２２の側部から延出するユニバーサルコード２３とを備えて構成されている。挿入部２１は、先端側から順に、硬性な先端構成部２４、図示しない湾曲駒を連設して構成された湾曲部２５及び可撓性を有する可撓管部２６とを備えて構成されている。
【００１６】
なお、符号２７ａは上下湾曲操作ノブ（以下、上下ノブと略記する）であって、該上下ノブ２７ａを操作することによって湾曲部２５が湾曲動作されて、挿入部先端面２４ａが上方向又は下方向に移動される。符号２７ｂは左右湾曲操作ノブ（以下、左右ノブと略記する）であって、該左右ノブ２７ｂを操作することによって湾曲部２５が湾曲動作されて、先端面が左方向又は右方向に移動される。符号２８は観察光学系を構成する観察窓であり、符号２９は照明光学系を構成する照明窓である。
【００１７】
照明窓２９から出射された照明光によって照らされた被写体からの反射光は、照明窓２９に隣接して設けられた観察窓２８を通過して光学像として取り込まれる。観察窓２８を通過した光学像は、観察光学系を構成する図示しない撮像素子の結像面に結像して電気信号に変換される。その電気信号は、内視鏡２の外部装置である図示しないカメラコントロールユニットに伝送されて映像信号に生成される。この映像信号が、カメラコントロールユニットから表示装置に出力されることによって、該表示装置の画面上に内視鏡画像が表示される。
【００１８】
一方、内視鏡洗浄用シース３は、洗浄用シース側挿入部（以下、シース挿入部と略記する）３１と、洗浄用シース側操作部（シース操作部と略記する）３２とを備えて構成される。シース挿入部３１には内視鏡２の挿入部２１が挿入され、該挿入部２１はシース挿入部３１と一体で体腔内に挿入される。シース操作部３２は、シース挿入部３１を構成する後述するシース３３の後端部に設けられ、内視鏡２の操作部２２に対して固定保持される。
【００１９】
シース挿入部３１は、シース３３と、シース先端構成部（以下、シース先端部と記載する）３４等とを備えて構成される。シース先端部３４は硬質部材であって、ステンレス等の金属部材、或いはポリアミド、ポリエチレン、ポリプロピレン、ポリカーボネート等の硬質な樹脂部材で形成されている。シース先端部３４には、シース３３の先端側部が被覆配置される。
【００２０】
シース先端部３４の先端開口部３４ａには後述するワイパーユニット４０を構成する細長で略直方体形状のブレード４１が配設されている。ブレード４１は弾性部材で形成され、シース挿入部３１内に挿入部２１が配置された状態において、内視鏡２の挿入部先端面２４ａに対して所定の接触圧で密着して配置されるように構成されている。ブレード４１の長さ寸法は、挿入部先端面２４ａの直径寸法と略同寸法で、該ブレード４１によって挿入部先端面２４ａの略全面が払拭される構成である。
【００２１】
具体的にワイパーユニット４０は、前記ブレード４１と、ブレード４１を動作させる第１ワイヤである一対の駆動ワイヤ４２と、第２ワイヤである一対の牽引操作ワイヤ（以下、操作ワイヤと略記する）４３と、連結部材である一対のワイヤ結合部材４４とを備えて構成されている。
【００２２】
ブレード４１は、一対の駆動ワイヤ４２の中途部に一体的に固定される。ワイヤ結合部材４４には、一対の駆動ワイヤ４２のそれぞれの端部と、後端部がシース操作部３２に接続された操作ワイヤ４３の先端部とがそれぞれ一体的に固定される。
【００２３】
ワイヤ結合部材４４は、硬質部材であってステンレス等の金属部材、或いはポリアミド、ポリエチレン、ポリプロピレン、ポリカーボネート等の硬質な樹脂部材で形成されている。一対のワイヤ結合部材４４は、シース先端部３４の両側面にそれぞれ設けられた図示しない凹部に摺動自在に配置されている。なお、駆動ワイヤ４２は、シース先端部３４の先端面及び両側面にそれぞれ設けられた図示しないワイヤ溝に挿通されて前記凹部に案内される。
【００２４】
この構成のワイパーユニット４０によれば、術者が例えば該術者から見て左方向に配置されている図１の破線で示す操作ワイヤ４３を、シース挿入部３１の長手軸手元側に牽引したとき、この操作ワイヤ４３の矢印ａ側への移動に伴って該操作ワイヤ４３の先端部が固定されているワイヤ結合部材４４が手元側に移動される。すると、ワイヤ結合部材４４の移動に伴って、該ワイヤ結合部材４４に固定されている一対の駆動ワイヤ４２も矢印ａ側に牽引されて、この駆動ワイヤ４２に一体的に固定されたブレード４１が矢印ｂ方向に移動する。なお、術者が該術者から見て右方向に配置されている図示されていない操作ワイヤ４３をシース挿入部３１の長手軸手元側に牽引したときには、駆動ワイヤ４２に一体的に固定されたブレード４１が上述とは逆方向である矢印ｃ方向に移動する。
【００２５】
シース３３は柔軟で細長な、長手軸方向に対して複数の貫通孔を有するマルチルーメンチューブであり、シリコン、ウレタン、テフロン（登録商標）等の柔軟性を有する材質で形成されている。シース３３は、中央に設けられた大径な中央貫通孔（図２の符号３３ａ参照）と、この中央貫通孔３３ａの外側に対向した位置関係で設けられた小径なワイヤ挿通孔（不図示）とを有している。
【００２６】
中央貫通孔３３ａには内視鏡２の挿入部２１が挿通される。ワイヤ挿通孔にはコイルパイプ４５が配置され、該コイルパイプ４５内に操作ワイヤ４３が摺動自在に挿通される。摺動自在な操作ワイヤ４３を、コイルパイプ４５内に配置することによって、該操作ワイヤ４３がシース３３に直接的に接触することを防止して、操作ワイヤ４３にかかる接触抵抗の低減を図ることができる。
【００２７】
図１、図２に示すシース操作部３２は、操作部本体３２ａと、ワイヤ引き込み機構部である摺動操作部３２ｂとで構成されている。  
シース操作部３２は、シース固定部４と、摺動部材５及び一対の挟持板６ａ、６ｂと、平板７と、牽引操作ワイヤガイド部（以下、ガイド部と略記する）８と、駆動部である回動操作部９とを備えて主に構成されている。
【００２８】
シース固定部４は操作部本体３２ａを構成する。シース固定部４は貫通孔４ａを備え、該貫通孔４ａは大径穴４ｂと連通孔４ｃとを有する。連通孔４ｃは、大径穴４ｂより小径で、該大径穴４ｂと外部とを連通する。大径穴４ｂにはシース３３の基端部が配置され、該シース３３は例えば接着剤によってシース固定部４と一体的に固定される。連通孔４ｃには前記内視鏡２の操作部２２が配置される。
【００２９】
なお、シース固定部４の図中左右側面には、一対の挟持板６ａ、６ｂを螺合によってそれぞれ固設するための挟持板用雌ネジが設けられている。挟持板用雌ネジは、左右の側面にそれぞれ一対ずつ設けられる。また、シース固定部４の図中先端面には、位置決め用板部材１８を螺合によって固設するための一対の板部材用雌ネジが設けられている。位置決め用板部材１８には符号１９に示す位置決めピンが溶接、或いは接着によって一体的に固定されている。位置決めピン１９を備えた位置決め用板部材１８が、板部材固定ネジ５０によってシース固定部４に一体的に取り付けられるようになっている。
【００３０】
摺動部材５は摺動操作部３２ｂを構成する。摺動部材５は、直方体形状であって、前記シース固定部４の図中上面に摺動自在に設置される。摺動部材５の図中左右側面であって、前記挟持板６ａ、６ｂに対向する側面の所定位置には摺動／固定切換用雌ネジ（不図示）が形成されている。また、摺動部材５の図中上面の所定位置には所定深さ寸法の軸部材配置穴（以下、軸穴と記載する）５ａが形成されている。この軸穴５ａには軸部材１０が配置される。さらに、摺動部材５の図中下面には所定深さ寸法の座ぐり穴５ｂが形成されている。座ぐり穴５ｂと軸穴５ａとはネジ逃がし孔５ｃによって連通している。即ち、軸穴５ａの中心軸と、座ぐり穴５ｂの中心軸と、ネジ逃がし孔５ｃの中心軸とは同軸である。軸穴５ａに配置された軸部材１０は、軸固定ネジ５１によって摺動部材５に一体的に配設される。
【００３１】
一対の挟持板６ａ、６ｂは操作部本体３２ａを構成する。挟持板６ａ、６ｂは、細長で後端側がシース固定部４の後端面から所定量、突出する構成である。それぞれの挟持板６ａ、６ｂには長孔６ｃと、前後に一対ずつの逃がし孔６ｄとが形成されている。一対の逃がし孔６ｄには、前記挟持板用雌ネジに螺合する挟持板固定ネジ５３が挿通される。長孔６ｃは、貫通孔４ａの軸方向に対して平行に形成される。長孔６ｃには、前記摺動／固定切換用雌ネジに螺合する摺動／固定切換ネジ５２が配置される。
【００３２】
平板７は摺動操作部３２ｂを構成する。平板７は、摺動部材５の上面に一体的に固定される。平板７の下面には、摺動部材５の上部が係入される溝７ａが形成されている。摺動部材５を溝７ａ内に配置することによって、該摺動部材５の軸方向の位置が規制される。
【００３３】
また、平板７には前記軸部材１０が挿通する貫通孔７ｂが形成されている。平板７の上面であって先端側には、ガイド部８を固設するガイド部固定ネジ５４が螺合する一対の図示しないガイド部用雌ねじが設けられている。
【００３４】
ガイド部８は摺動操作部３２ｂを構成する。ガイド部８は、本体部８ａと、保持部材８ｂと、押圧部材８ｃとを備えて構成される。本体部８ａには、図３、図４に示すようにコイルパイプ４５の後端部が配置される一対の溝８ｄが形成されている。溝８ｄは、コイルパイプ４５内に挿通されている操作ワイヤ４３がシース３３から回動操作部９に導かれる際の抵抗を低減させる目的で、貫通孔４ａの軸方向に対して斜めに形成されている。
【００３５】
具体的には、溝８ｄの先端側の間隔はシース３３の直径を考慮して幅狭であり、後端側の間隔は後述する回動部材１１の直径寸法を考慮して前記先端側間隔より幅広である。また、本体部８ａの先端側は図中の矢印Ｒで示すように曲面形状である。また、本体部８ａは、先端から後端側に向かうにしたがって、板圧寸法ｔが徐々に大きくなるように形作られている。符号８ｅはガイド部固定ネジ５４が挿通する逃がし孔である。
【００３６】
保持部材８ｂは弾性部材であって、溝８ｄに配置されたコイルパイプ４５を押しつぶすことなく押圧する部材である。押圧部材８ｃは、保持部材８ｂに押圧力を付与する部材である。ガイド部固定ネジ５４をガイド部用雌ねじに螺合するときの螺合状態を調整することによって、押圧部材８ｃから保持部材８ｂに付与される押圧力を適宜設定できるようになっている。なお、保持部材８ｂ及び押圧部材８ｃにも逃がし孔８ｅに対応する逃がし孔（不図示）が形成されている。
【００３７】
回動操作部９は摺動操作部３２ｂを構成する。回動操作部９は、前記軸部材１０と、回動部材１１と、複数のボールベアリング（以下、単にベアリングとも記載する）１２と、抑え部材１３と、蓋部材１４と、ワイヤ牽引部材（以下、牽引部材と略記する）１５とを備えて主に構成されている。
【００３８】
軸部材１０は略円柱状部材であって、中途部にフランジ１０ａを備えている。軸部材１０の一端部側には軸固定ネジ５１が螺合する第１雌ねじ１０ｂが設けられ、他端部側には抑え部材１３を固設するための第２雌ねじ１０ｃが設けられている。第２雌ねじ１０ｃを備える他端部の外周面１０ｄはベアリング１２との摺動面を構成する。
【００３９】
回動部材１１は凹部１１ａを備える環状部材である。回動部材１１は、軸部材１０に対して同心で配置され、該軸部材１０に対して回動自在に構成される。凹部１１ａの内周面と他端部の外周面１０ｄとの間には、操作部側静止摩擦力である接触抵抗を低減するためのベアリング１２が配設される。凹部１１ａと外部とを連通する中心軸上の貫通孔１１ｂはフランジ１０ａに対して遊嵌状態である。
【００４０】
回動部材１１の外周面には操作ワイヤ４３が配置される周溝１１ｃが形成されている。また、回動部材１１の上面には、蓋部材１４を一体的に固定するための蓋固定ネジ５５が螺合される３つの蓋用雌ねじ１１ｄが設けられている。蓋用雌ねじ１１ｄは周方向に対して等間隔で設けられている。なお、符号１１ｅは当接面であり、牽引部材１５の先端面が当接配置されるように回動部材１１の外周を切り欠いて形成される。
【００４１】
ベアリング１２は、凹部１１ａの底面に載置される。そして、ベアリング１２は、凹部１１ａの内周面と他端部の外周面１０ｄとに点接触して摩擦力調整機構部としてのボール軸受部３２ｃを構成する。ボール軸受部３２ｃを設けることによって、回動部材１１と軸部材１０との間の接触抵抗である操作部側静止摩擦力が大幅に低減されて、後述するブレード側静止摩擦力を、操作性、耐久性等を考慮して最適なＰ１に設定することが可能になる。
【００４２】
抑え部材１３は環状の板部材であって、抑え用固定ネジ５６を第２雌ねじ１０ｃに螺合することによって、軸部材１０の他端部の端面に配置されて鍔部を形成する。この抑え部材１３は、ベアリング１２を保持する。
【００４３】
蓋部材１４の下面側にはリンク状突起１４ａが設けられ、上面側の中央部には凸部１４ｂが突設されている。蓋部材１４は、蓋固定ネジ５５を蓋用雌ねじ１１ｄに螺合することによって、回動部材１１と一体的に固定される。この固定状態において、リンク状突起１４ａの平端面がベアリング１２を保持する。
【００４４】
牽引部材１５は例えば溶接、接着、或いは螺合によって回動部材１１に一体的に固定される。ユーザーは、回動部材１１に固定された牽引部材１５を操作して、容易に該回動部材１１を軸部材１０に対して回動させることができるようになっている。
【００４５】
牽引部材１５には長手軸方向に細長な細穴１５ａが形成されている。細穴１５ａの底面は平面である。また、牽引部材１５には周溝１１ｃに配置された操作ワイヤ４３が挿通されるワイヤ孔１５ｃが形成されている。ワイヤ孔１５ｃの形成位置は、細穴１５ａの底面１５ｂ近傍であって、操作ワイヤ４３をワイヤ孔１５ｃの一方側から挿通して他方側に延出させたとき該操作ワイヤ４３が底面１５ｂ上に配置されるようになっている。
【００４６】
細穴１５ａ内には、ワイヤ保持部材１６が遊嵌配置されるとともに、該ワイヤ保持部材１６の一端面を押圧する押圧用ネジ１７が螺合配置されている。押圧用ネジ１７を所定方向に回転させて、ワイヤ保持部材１６の一端面側を押圧することによって該ワイヤ保持部材１６が弾性変形されて、底面１５ｂに配置された操作ワイヤ４３が該ワイヤ保持部材１６の他端面によって押圧され、強固に保持される構成になっている。
【００４７】
なお、本実施形態においては、平板７と摺動部材５とを別体としているが、平板７と摺動部材５とを一体で構成するようにしてもよい。
【００４８】
図１、図２、及び図５を参照して内視鏡洗浄用シース３を仮組み立てするまでの工程を説明する。  
ワイパーユニット４０の組み立て工程を説明する。  
まず、作業者は、ブレード４１と、一対の駆動ワイヤ４２と、一対の操作ワイヤ４３と、一対のワイヤ結合部材４４とを用意する。作業者は、ブレード４１に一対の駆動ワイヤ４２を挿通し、該ブレード４１を一対の駆動ワイヤ４２の所定位置に例えばヘッダー加工によって固定する。
【００４９】
次に、作業者は、駆動ワイヤ４２の一端部に一方のワイヤ結合部材４４を連結するとともに、駆動ワイヤ４２の一端部に他方のワイヤ結合部材４４を連結する。その後、作業者は、一方の操作ワイヤ４３の一端部を対応するワイヤ結合部材４４に固設し、他方の操作ワイヤ４３の一端部を対応するワイヤ結合部材４４に固設する。  
このことによって、ワイパーユニット４０が構成される。
【００５０】
ワイパーユニット４０を備えるシース挿入部３１の組み立て工程を説明する。  
まず、作業者は、ワイヤ挿通孔にコイルパイプ４５が配設されているシース３３を用意し、前記ワイパーユニット４０の一対の操作ワイヤ４３をそれぞれ対応するワイヤ挿通孔に挿通させる。すると、操作ワイヤ４３の手元側端部がコイルパイプ４５の基端開口から延出させる。
【００５１】
次に、作業者は、ワイヤ結合部材４４をシース先端部３４の凹部に配置して、シース３３の先端側部をワイヤ結合部材４４に被覆配置する。この後、操作ワイヤ４３を牽引弛緩操作して、ブレード４１をシース先端部３４の所望する位置に配置させる。  
このことによって、ワイパーユニット４０を備えたシース挿入部３１が構成される。
【００５２】
操作部本体３２ａの組み立て工程を説明する。  
作業者は、操作部本体３２ａを構成するシース固定部４、一対の挟持板６ａ、６ｂ、位置決め用板部材１８等を用意する。
【００５３】
作業者は、一対の挟持板６ａ、６ｂの先端側に配置されたそれぞれの逃がし孔６ｄを介して挟持板固定ネジ５３を挟持板用雌ネジに螺合して、該一対の挟持板６ａ、６ｂをシース固定部４に一体的に固定する。また、作業者は、位置決めピン１９が一体的に固定されている位置決め用板部材１８を、板部材固定ネジ５０を板部材用雌ネジに螺合して、シース固定部４に一体的に固定する。  
このことによって、操作部本体３２ａが構成される。この後、シース固定部４の大径穴４ｂに、シース３３の基端部を一体的に固定する。
【００５４】
摺動操作部３２ｂの組み立て工程を説明する。  
作業者は、摺動操作部３２ｂを構成する摺動部材５、平板７と、本体部８ａと、保持部材８ｂと、押圧部材８ｃと、軸部材１０と、回動部材１１と、複数のベアリング１２と、抑え部材１３と、蓋部材１４等とを用意する。なお、回動部材１１の所定位置に牽引部材１５が固定されている。
【００５５】
まず、作業者は、摺動部材５を平板７の溝７ａに係入し、軸部材１０の一端部側を平板７の貫通孔７ｂを介して軸穴５ａ内に挿入する。そして、軸固定ネジ５１を座ぐり穴５ｂ、ネジ逃がし孔５ｃを介して第１雌ねじ１０ｂに螺合する。すると、フランジ１０ａの下端面が平板７の上面に当接して、摺動部材５と平板７とが一体的に固定された状態になる。
【００５６】
次に、作業者は、ガイド部８及び回動操作部９を平板７の上面に配設する。そのため、平板７の上面所定位置に、ガイド部８を構成する本体部８ａ、保持部材８ｂ及び押圧部材８ｃを積み重ねて配置する。そして、作業者は、ガイド部固定ネジ５４を押圧部材８ｃ及び保持部材８ｂの逃がし孔と本体部８ａの逃がし孔８ｅとを介してガイド部用雌ねじに螺合して、ガイド部８を平板７上に仮固定する。
【００５７】
また、作業者は、回動部材１１の貫通孔１１ｂを、平板７の上面から突出している軸部材１０のフランジ１０ａに挿通させて、該回動部材１１を平板７上に配置する。このとき、回動部材１１に固定されている牽引部材１５を平板７の後端側に配置させる。そして、作業者は、回動部材１１の凹部１１ａ内に、複数のベアリング１２を配置する。この後、作業者は、抑え用固定ネジ５６を第２雌ねじ１０ｃに螺合して、軸部材１０の他端部の端面に抑え部材１３を固設する。
【００５８】
最後に、作業者は、蓋固定ネジ５５を蓋用雌ねじ１１ｄに螺合して、回動部材１１に蓋部材１４を一体的に固定する。このとき、作業者は、３つの蓋固定ネジ５５の蓋用雌ねじ１１ｄに対する螺合状態を適宜、調整しながら、該蓋固定ネジ５５を該蓋用雌ねじ１１ｄに締め付けていく。すると、作業者の蓋固定ネジ５５の締め込みに伴って、平板７の上面に載置されていた回動部材１１が徐々に図中上方向に移動されていく。また、凹部１１ａの内周面と他端部の外周面１０ｄとの間にベアリング１２を所定の状態で配設される。
【００５９】
その後、作業者の締め込みが続行されることによって、ベアリング１２が抑え部材１３とリンク状突起１４ａの平端面とによって保持された状態になって、回動操作部９の操作部側静止摩擦力を所定量に設定したボール軸受部３２ｃが構成される。このとき、回動部材１１の下面は、平板７の上面から離間した状態になって、該回動部材１１は軸部材１０に対して回動自在に配置される。
【００６０】
このことによって、ガイド部８及び回動操作部９を平板７上に配設した摺動操作部３２ｂが構成される。
【００６１】
摺動操作部３２ｂを操作部本体３２ａに組み付けてシース操作部３２を構成する工程を説明する。  
作業者は、摺動操作部３２ｂを構成する摺動部材５を、シース３３の基端部が一体的に固定された操作部本体３２ａを構成する、挟持板６ａ、６ｂとの間のシース固定部４上面に載置する。
【００６２】
作業者は、摺動部材５の先端面を位置決めピン１９に当接させた状態にして、摺動／固定切換ネジ５２を長孔６ｃを介して摺動／固定切換用雌ネジに螺合する。このことによって、操作部本体３２ａと摺動操作部３２ｂとが一体のシース操作部３２が構成される。
【００６３】
この後、作業者は、コイルパイプ４５の基端から延出されている一対の操作ワイヤ４３をそれぞれ、シース操作部３２を構成する本体部８ａの溝８ｄ内に挿通して、該操作ワイヤ４３の端部を該溝８ｄから回動部材１１方向に延出させる。そして、作業者は、溝８ｄから延出された操作ワイヤ４３を回動部材１１の周溝１１ｃに所定の状態で配置させ、それぞれの操作ワイヤ４３の端部を一端側及び他端側からワイヤ孔１５ｃに挿通して、該ワイヤ孔１５ｃから該操作ワイヤ４３を延出させる。
【００６４】
最後に、作業者は、押圧用ネジ１７を回転操作して、一対の操作ワイヤ４３をワイヤ保持部材１６で底面１５ｂに押圧して、該操作ワイヤ４３を固定保持状態にする。このことによって、仮組み状態の内視鏡洗浄用シース３が構成される。
【００６５】
内視鏡洗浄用シース３のシース操作部３２は、摺動／固定切換ネジ５２を緩めることによって、摺動操作部３２ｂが操作部本体３２ａに対して摺動自在となる。即ち、摺動操作部３２ｂは、図２に示すように摺動部材５の先端面が位置決めピン１９に当接した状態から、図５に示すように摺動部材５の先端面が位置決めピン１９から所定距離、離間した状態になるまで移動自在なワイヤ引き込み機構部を構成する。
【００６６】
図６を参照して仮組み状態の内視鏡洗浄用シース３を本組み立てする工程を説明する。  
仮組み状態の内視鏡洗浄用シース３を本組み立てするにあたって、作業者は装着する内視鏡の挿入長に対応する図６に示す治具６０を用意する。そして、作業者は、治具６０をシース操作部３２を構成するシース固定部４に形成されている連通孔４ｃの後端側開口を介してシース３３の中央貫通孔３３ａに挿入していく。そして、作業者は、治具６０の側面に設けられている目盛り（不図示）を参照して該治具６０を予め設定されている長さ分だけ、中央貫通孔３３ａ内に挿通させていく。すると、図６に示すように治具６０の治具先端面６１がシース先端部３４の図示しない位置決め面に当接して、治具６０のシース挿入部３１内への装着が完了する。
【００６７】
この装着状態において、作業者は、ブレード４１の払拭面の治具先端面６１に対するブレード側静止摩擦力を予め設定したＰ１にするための密着作業に移行する。  
まず、作業者は、ブレード４１の治具先端面６１に対する密着力の調整を行う。その際、作業者は、押圧用ネジ１７を緩め、ワイヤ保持部材１６で底面１５ｂに押圧固定されている操作ワイヤ４３を牽引操作自在な状態にする。そして、作業者は、破線に示すように弛んだ状態の操作ワイヤ４３を規定の力量で牽引して、該操作ワイヤ４３を二点鎖線に示すように張った状態に変化させる。
【００６８】
すると、ブレード４１の治具先端面６１に対する密着力が徐々に上昇して図７に示すように予め設定した初期密着力Ｐｏになる。ここで、作業者は、押圧用ネジ１７を締め付けて操作ワイヤ４３を固定して密着作業を終了する。なお、コイルパイプ４５内を挿通されていた操作ワイヤ４３は外部に延出されており、該コイルパイプ４５の端部はガイド部８の先端面近傍に位置している。
【００６９】
次に、作業者は、ブレード４１の払拭面と治具先端面６１との間に生じるブレード側静止摩擦力を、前記操作部側静止摩擦力よりも大きい値であるＰ１にするためのブレード側静止摩擦力調整作業を行う。即ち、作業者は、摺動／固定切換ネジ５２を緩め、その後、図５、図６の二点鎖線に示す位置に配置されていた摺動操作部３２ｂを操作部本体３２ａに対して後方側に移動させていく。言い換えれば、位置決めピン１９に先端面が当接していた摺動部材５を該位置決めピン１９から徐々に離間させていく。
【００７０】
すると、操作ワイヤ４３の張力は、摺動部材５の後方側への移動に伴って徐々に増大されて、該摺動部材５が例えば実線に示す位置に移動されたとき、ブレード４１の治具先端面６１に対するブレード側静止摩擦力が図８に示すように予め設定した値であるＰ１に到達する。ここで、作業者は、摺動／固定切換ネジ５２を締め付けて摺動部材５を挟持板６ａ、６ｂに対して固定、言い換えれば、摺動操作部３２ｂを操作部本体３２ａに対して一体的に固定する。このことによって、ブレード側静止摩擦力調整作業を完了する。
【００７１】
この後、作業者は、挟持板６ａ、６ｂ上に目印６ｅを設ける。このことによって、平板７の先端面を目印６ｅに一致させることによって、ブレード側静止摩擦力がＰ１に調整される。また、作業者は、一対のコイルパイプ４５の端部をそれぞれの溝８ｄに配置させた後、ガイド部固定ネジ５４を締め付けてコイルパイプ４５を、保持部材８ｂを介して伝達される押圧力で固定保持状態にする。
【００７２】
最後に、シース挿入部３１を構成する中央貫通孔３３ａ内から治具６０を抜去する。このことによって、所定の挿入部長の挿入部を有する内視鏡に対応した内視鏡洗浄用シース３が構成される。
【００７３】
上述のように構成される内視鏡洗浄用シース３の作用を説明する。  
まず、内視鏡検査を行うにあたって、ユーザーは、図１に示すように内視鏡２と内視鏡洗浄用シース３とを用意する。そして、ユーザーは、内視鏡２の挿入部２１を内視鏡洗浄用シース３のシース挿入部３１に備えられている中央貫通孔３３ａ内に挿通する。そして、挿入部２１の挿入部先端面２４ａがシース先端部３４の図示しない位置決め面に当接することによって、図９に示すように挿入部２１のシース挿入部３１内への装着が完了する。この装着完了状態において、ブレード４１の払拭面は、挿入部先端面２４ａに対して、前記図８で示したブレード側静止摩擦力Ｐ１を有して密着した状態になる。なお、図９に示す装着完了状態において、シース操作部３２は内視鏡２の操作部２２に対して図示しないネジ、或いはスナップフィット機構等の締結部材によって一体的に固定される。
【００７４】
次に、ユーザーは、ブレード４１が挿入部先端面２４ａ上をスムーズに移動するか否かの確認であるブレード動作確認を行う。即ち、ユーザーは、牽引部材１５を前記図１の矢印ｅ或いは矢印ｆに示す方向に回動操作する。すると、回動部材１１が軸部材１０に対して回転され、該回動部材１１の回転に伴って操作ワイヤ４３が牽引されていく。このことによって、操作ワイヤ４３の牽引力が徐々に増大していく。
【００７５】
そして、操作ワイヤ４３の牽引力がブレード４１の有するブレード側静止摩擦力より大きくなったとき、該ブレード４１は該ブレード側静止摩擦力に抗して移動される。即ち、ブレード４１が挿入部先端面２４ａ面上を移動する。この移動状態は良好であるとユーザーが判断したなら、該ユーザーはブレード４１をシース先端部３４の一方側に移動させ、牽引部材１５から手を離す。
【００７６】
すると、ブレード４１は、該ブレード４１の有するブレード側静止摩擦力によって挿入部先端面２４ａ上であってシース先端部３４の一方側端面に湾曲状態で配置される。このとき、湾曲状態に変形したブレード４１は、観察窓２８上及び照明窓２９上から外れている。
【００７７】
次いで、ユーザーは、内視鏡２を観察状態にする。即ち、図示しない光源装置をオン状態にして、照明光が照明窓２９から出射された観察状態にする。この観察状態で、ユーザーは、内視鏡２の例えば左右ノブ２７ｂを操作して、湾曲部２５を左右方向に湾曲させて内視鏡２に対するブレード側静止摩擦力確認を行う。このとき、ユーザーは図示しない表示装置の画面上に表示されている内視鏡画像の明るさが変化するか否か、或いは内視鏡画像中にブレード４１が映し出されるか否かを確認する。万一、内視鏡２に内視鏡洗浄用シース３を装着した状態において、ブレード側静止摩擦力がＰ１に設定されていなかった場合には、ブレード４１が移動されて、挿入部先端面２４ａに設けられた観察窓２８上、或いは照明窓２９上に配置されて内視鏡観察を妨げる。
【００７８】
ここで、ユーザーが観察状態は良好であると判断したなら、内視鏡観察に移行する。即ち、ユーザーは、シース挿入部３１が装着された挿入部２１を体腔内に導入して観察を行う。その際、ブレード４１が該ブレード４１の有するブレード側静止摩擦力によって一方側端面に湾曲状態で保持されている。したがって、ユーザーが左右ノブ２７ｂを操作して湾曲部２５を湾曲させて操作ワイヤ４３が牽引弛緩された場合には、牽引部材１５がブレード４１を移動させる方向とは逆方向に回転することはあっても、ブレード４１が移動することが防止される。
【００７９】
そして、体液等が観察窓２８、或いは照明窓２９に付着して内視鏡観察に不具合が生じた場合には、牽引部材１５を所望する方向に回動操作する。すると、牽引部材１５の回転に伴ってブレード４１が移動されて付着物が除去される。
【００８０】
このように、シース操作部を構成する回動操作部にボールベアリングを設け、回動部材と軸部材との間で生じる操作部側静止摩擦力を、ブレードの挿入部先端面への密着力であるブレード側静止摩擦力より小さく設定している。このことによって、ユーザーによって左右ノブが操作された場合、ブレードは該ブレードの有するブレード側静止摩擦力によって予め配置された一方側端面に湾曲状態で保持される。したがって、内視鏡観察中に、一方側端面に湾曲状態で配置されているブレードが移動して、内視鏡観察に支障を来すことを防止することができる。
【００８１】
なお、ユーザーが観察状態に不具合があると判断した場合には、その内視鏡２によって、再調整を行う。その場合、ユーザー、又は作業者が、摺動／固定切換ネジ５２を緩め、平板７の先端面を目印６ｅよりも後方に移動させた後、再び摺動／固定切換ネジ５２を締結して、上述したブレード側静止摩擦力確認を行って、ブレード側静止摩擦力をＰ１に調整する。
【００８２】
また、本実施形態においては、摺動／固定切換ネジ５２を締結状態にして摺動操作部３２ｂと操作部本体３２ａとを一体にして、ブレード側静止摩擦力Ｐ１を設定している。しかし、図１０に示すようにシース操作部３２Ｄを構成してブレード４１の挿入部先端面２４ａに対するブレード側静止摩擦力をＰ１に設定するようにしてもよい。
【００８３】
図１０に示すシース操作部３２Ｄにおいてはコイルバネ５７が設けられている。コイルバネ５７は、摺動部材５Ａを後方側に移動させるように付勢する付勢部材である。摺動部材５Ａにはコイルバネ５７が挿入配置されるバネ穴５ｄを備えている。バネ穴５ｄの中心軸と位置決め用板部材１８に固定された位置決めピン１９の中心軸とは略一致している。そして、コイルバネ５７は、該コイルバネ５７の一端側をバネ穴５ｄ内に配置した状態にして、他端側を位置決めピン１９に挿通した状態でシース操作部３２Ｄに設けられる。
【００８４】
コイルバネ５７の付勢力は、例えば初期密着力Ｐｏを調整した後、該コイルバネ５７をシース操作部３２Ｄに所定状態で配設することによって、摺動操作部３２ｂを操作部本体３２ａに対して移動させて、ブレード側静止摩擦力をＰ１にする力量に設定されている。その他の構成は上述した実施形態と同様であり、同部材には同符号を付して説明を省略する。なお、本実施形態においては、コイルバネ５７は押しバネであるが、コイルバネ５７は押しバネに限定されるものではなく引きバネタイプであってもよい。
【００８５】
このように、シース操作部に予め設定した付勢力のコイルバネを所定の状態で配設することによって、ブレード側静止摩擦力を調整する作業を行うことなく簡易的に設定することができる。このことによって、組み立て工程の工数低減を図って安価な内視鏡洗浄用シースを提供することができる。また、ユーザーが購入時において、該ユーザーの使用する内視鏡に合わせてブレード側静止摩擦力を微調整する作業を行うことによって、ユーザーの使用する内視鏡に最適な内視鏡洗浄用シースを提供することができる。
【００８６】
さらに、本実施形態においては、回動操作部にボールベアリングを設けることによって予め操作部側静止摩擦力を小さく設定した上で、ブレード側静止摩擦力が該操作部側静止摩擦力より大きくなるように設定している。しかし、図１１及び図１２に示すように所定の位置にスナップフィット５８を設けて、ブレード側静止摩擦力を操作部側静止摩擦力より大きくする構成であってもよい。
【００８７】
図１１に示すように本実施形態のシース操作部３２Ｅにおいてはスナップフィット５８が設けられている。スナップフィット５８は、シース操作部３２Ｅを構成する摺動操作部３２ｂを操作部本体３２ａの所定位置に固定するための部材である。スナップフィット５８には、摺動操作部３２ｂを構成する摺動部材５に設けられている摺動用ネジ５９が係入するようになっている。
【００８８】
スナップフィット５８は、長孔６ｃに対して一体的に配置される。そのため、スナップフィット５８は、長孔６ｃに対して位置決め固定される固定部（不図示）と、この固定部に配置される係合部５８ａとを備える。係合部５８ａは、弾性力を備える部材でＣ字形状に形成されており、前記摺動用ネジ５９の頭部５９ａが係合部５８ａの開口５８ｂの付勢力に抗して係合孔５８ｃ内に係入配置される構成になっている。
【００８９】
摺動用ネジ５９がスナップフィット５８に係入された状態において、摺動操作部３２ｂは操作部本体３２ａの所定位置に一体的に固定され、そのとき、ブレード側静止摩擦力が操作部側静止摩擦力より大きなＰ１に設定される。つまり、スナップフィット５８は、初期密着力Ｐｏを調整した後、摺動操作部３２ｂを操作部本体３２ａに対して移動させたときに、ブレード側静止摩擦力が操作部側静止摩擦力より大きなＰ１になる位置に設けられている。
【００９０】
なお、本実施形態においては、スナップフィット５８によって摺動操作部３２ｂを操作部本体３２ａの所定位置に固定するとしている。しかし、摺動操作部３２ｂを操作部本体３２ａに機械的に固定する部品はスナップフィット５８に限定されるものではなく、摺動操作部３２ｂと操作部本体３２ａとを機械的に固定することが可能で、且つ、その固定状態の解除を容易に行える構成であれば他の機構部品であってもよい。  
その他の構成、及び作用、効果は上述した実施形態と同様であり、同部材には同符号を付して説明を省略する。なお、図中においては後述の記載のため、回動操作部の符号を９Ａとしている。
【００９１】
なお、本実施形態においては、ボールベアリング１２を設けることなく、つまり、予め、操作部側静止摩擦力を小さく設定する構成を採ることなく、回動操作部９Ａを構成することが可能になる。
【００９２】
具体的に、上述したシース操作部３２Ｅにおいては、スナップフィット５８に摺動用ネジ５９が係入されたとき、ブレード４１の挿入部先端面２４ａに対するブレード側静止摩擦力がＰ１になるように設定している。しかし、スナップフィット５８の位置を図１２に示す位置よりも図中右側に移動させることによって、ブレード側静止摩擦力をＰ１より大きくすることが可能である。一方、初期密着力を予めＰｏより大きく設定することにより、スナップフィット５８の位置が図１２と同位置であっても、ブレード側静止摩擦力をＰ１より大きくすることが可能である。加えて、ブレード４１を高摩擦力を得られるポリウレタンゴムで構成する、又は、該ブレード４１の硬度を適宜調整してブレード側静止摩擦力を大きくすることが可能である。
【００９３】
したがって、図１１、図１２に示すように例えば図示しない軸部材に対して回動部材１１を取り付けて構成された回動操作部９Ａを備えるシース操作部３２Ｅにおいては、該回動操作部９Ａの操作部側静止摩擦力を考慮の上、初期密着力とスナップフィット５８の設置位置とを適宜設定することによって、ブレード側静止摩擦力を操作部側静止摩擦力より大きくなる。
【００９４】
なお、シース操作部３２Ｅを備える内視鏡洗浄用シース３においては、挿入部先端面２４ａに付着した付着物を除去する際、図１２の破線に示すようにスナップフィット５８と摺動用ネジ５９との係入状態を一旦解除することによって、付着物の除去を容易、且つスムーズに行える。
【００９５】
このように、スナップフィットを用いて摺動操作部を操作部本体の任意の位置に機械的に固定して、ブレード側静止摩擦力を操作部側静止摩擦力より大きく設定する構成にすることにより、回動操作部の構成を簡略にして安価な内視鏡洗浄用シースを提供することができる。
【００９６】
尚、本発明は、以上述べた実施形態のみに限定されるものではなく、発明の要旨を逸脱しない範囲で種々変形実施可能である。
【図面の簡単な説明】
【００９７】
【図１】内視鏡と内視鏡洗浄用シースとを備える内視鏡装置を説明する図
【図２】内視鏡洗浄用シースの洗浄用シース側操作部の構成を説明する断面図
【図３】ガイド部を構成する本体部を説明する平面図、正面図、背面図及び右側面図を備える四面図
【図４】図３のＩＶ−ＩＶ線断面図
【図５】摺動操作部を操作部本体に対して後方側に移動させた状態を説明する図
【図６】治具を用いて内視鏡洗浄用シースを組み立てている状態を説明する図
【図７】内視鏡洗浄用シースを内視鏡に装着した状態におけるブレード側静止摩擦力を説明する模式図
【図８】摺動操作部を操作部本体に対して後方側に移動させてブレード側静止摩擦力を所定の摩擦力に設定した状態を説明する図
【図９】内視鏡洗浄用シースを内視鏡に装着した状態を説明する図
【図１０】内視鏡洗浄用シースに備えられている洗浄用シース側操作部にコイルバネを設けた構成を説明する図
【図１１】内視鏡洗浄用シースの洗浄用シース側操作部の他の構成を説明する図
【図１２】摺動操作部が操作部本体に対して一体な状態と、摺動操作部と操作部本体とが摺動自在な状態とを説明する図
【図１３】一対の駆動ワイヤを移動させることによって、ブレードを移動させて挿入部先端面に付着した付着物を除去する内視鏡シースを説明する図
【図１４】内視鏡シースを内視鏡挿入部に装着した状態における不具合を説明する図
【符号の説明】
【００９８】
１…内視鏡装置    ２…内視鏡    ３…内視鏡洗浄用シース    ４…シース固定部
５…摺動部材    ６ａ、６ｂ…挟持板    ７…平板    ８…ガイド部    ９…回動操作部    １０…軸部材    １１…回動部材    １２…ボールベアリング    １５…牽引部材
１６…ワイヤ保持部材    ３１…シース挿入部    ３２…シース操作部
３２ａ…操作部本体    ３２ｂ…摺動操作部    ３２ｃ…ボール軸受部    ３３…シース
３３ａ…中央貫通孔    ４０…ワイパーユニット    ４１…ブレード
４２…駆動ワイヤ    ４３…操作ワイヤ    ４５…コイルパイプ
【図１】
2008167773.tif 000003
【図２】
2008167773.tif 000004
【図３】
2008167773.tif 000005
【図４】
2008167773.tif 000006
【図５】
2008167773.tif 000007
【図６】
2008167773.tif 000008
【図７】
2008167773.tif 000009
【図８】
2008167773.tif 000010
【図９】
2008167773.tif 000011
【図１０】
2008167773.tif 000012
【図１１】
2008167773.tif 000013
【図１２】
2008167773.tif 000014
【図１３】
2008167773.tif 000015
【図１４】
2008167773.tif 000016